(57)【特許請求の範囲】
【請求項１】
電子機器を収納する収納装置であって、
ベースから一方向にスライドして引き出し可能なスライドテーブルと、
前記スライドテーブル上に設けられ、主面の軸心周りに回転可能であり、前記電子機器が載置される回転テーブルと、
前記スライドテーブルが引き出された状態に至るまで、前記回転テーブルの回転を規制する回転規制機構と、
前記回転テーブルが回転している際に前記スライドテーブルがスライドすることを規制するスライド規制機構と、
前記回転テーブルが回転する角度範囲を規定する回転角度規定機構と
を備えたことを特徴とする収納装置。
【請求項２】
前記回転規制機構は、
前記ベースに設けられた規制壁と、
前記回転テーブルに設けられ、前記スライドテーブルが引き出された状態に至るまで前記規制壁と当接するストッパとを備えた
ことを特徴とする請求項１記載の収納装置。
【請求項３】
前記スライド規制機構は、
前記ベースに設けられ、前記スライドテーブル側に付勢されて突没可能なラッチと、
前記スライドテーブルに設けられ、前記スライドテーブルが引き出された状態において突出した前記ラッチの爪部が挿通する角穴とを備え、
前記回転テーブルは、回転していない場合に前記ラッチの爪部上に乗ることで当該ラッチを前記スライドテーブルから没入させる
ことを特徴とする請求項１記載の収納装置。
【請求項４】
前記回転角度規定機構は、
前記回転テーブルに設けられたストッパと、
前記スライドテーブルに設けられ、前記ストッパと当接する当接部とを備えた
ことを特徴とする請求項１記載の収納装置。
【請求項５】
前記スライドテーブル及び前記回転テーブルは、それぞれの主面を前記電子機器の底面より狭くする切欠き部を備えた
ことを特徴とする請求項１記載の収納装置。
【発明の詳細な説明】
【技術分野】
【０００１】
この発明は、電子機器を収納する回転スライドテーブルを有する収納装置に関するものである。
【背景技術】
【０００２】
ＯＡデスクでは、デスク上を広く使いたいという要望が常にある。理想的な状態は、デスク上に液晶ディスプレイ、キーボード及びマウスのみが置かれた状態である。そのため、デスク下に配置されたワゴン内に無停電電源（ＵＰＳ）等の機器を収納する場合が多くなる（例えば非特許文献１参照）。
【０００３】
従来では、ワゴン内にラック構造を用意して、ラック取付け用のＵＰＳを収納していた。しかしながら、このラック取付け用のＵＰＳが生産中止となり、後継機種にはラック取付け用のものがないため、デスク置き用のＵＰＳを代替候補としている。この場合、デスク置き用のＵＰＳをワゴン内に収納するためには、ラック取付用のテーブルが必要となる。さらに、デスク置き用ＵＰＳのバッテリ交換、表示確認、配線作業を行うためにテーブルをスライド、回転する必要がある。
【先行技術文献】
【非特許文献】
【０００４】
【非特許文献１】http://www.aimcube.com/?pid=40842851
【発明の概要】
【発明が解決しようとする課題】
【０００５】
上述したように、デスク置き用のＵＰＳを用いた場合、バッテリ交換等のために回転スライドテーブルが必要となる。そして、この回転スライドテーブルを有する収納装置では、テーブル上に載置されたＵＰＳのバッテリ交換等を行う場合、テーブルをスライドさせて引き出した後、当該テーブルを回転させる。そして、バッテリの交換等の後、テーブルを回転前の状態まで回転させた後、テーブルをスライドさせて収納する。
【０００６】
しかしながら、従来の回転スライドテーブルを有する収納装置では、テーブルをスライドして引き出す前に当該テーブルが回転してしまうという課題があった。また、テーブルをスライドさせて回転後、回転前の状態に戻す前に当該テーブルがスライドしてしまうという課題もあった。また、テーブルが必要以上に回転してしまうという課題もあった。また、テーブル上に取っ手のない重量物を載せる場合、当該テーブルを引き出すための取っ手が別に必要となるという課題もあった。また、重量物用のテーブルとなると、大きく重たいものとなってしまうという課題もあった。
【０００７】
この発明は、上記のような課題を解決するためになされたもので、規定された動作手順以外の動作を規制し、必要な分だけテーブルをスライド及び回転可能な収納装置を提供することを目的としている。
【課題を解決するための手段】
【０００８】
この発明に係る収納装置は、ベースから一方向にスライドして引き出し可能なスライドテーブルと、スライドテーブル上に設けられ、主面の軸心周りに回転可能であり、電子機器が載置される回転テーブルと、スライドテーブルが引き出された状態に至るまで、回転テーブルの回転を規制する回転規制機構と、回転テーブルが回転している際にスライドテーブルがスライドすることを規制するスライド規制機構と、回転テーブルが回転する角度範囲を規定する回転角度規定機構とを備えたものである。
【発明の効果】
【０００９】
この発明によれば、上記のように構成したので、規定された動作手順以外の動作を規制し、必要な分だけテーブルをスライド及び回転可能となる。
【図面の簡単な説明】
【００１０】
【図１】この発明の実施の形態１に係る収納装置の構成（電子機器が載置された状態）を示す斜視図であり、（ａ）収納状態を示す図であり、（ｂ）スライド状態を示す図であり、（ｃ）回転状態を示す図である。
【図２】この発明の実施の形態１に係る収納装置の回転規制機構の構成を示す斜視図であり、（ａ）収納状態を示す図であり、（ｂ）スライド状態を示す図である。
【図３】この発明の実施の形態１に係る収納装置のスライド規制機構の構成（電子機器が載置された状態）を示す斜視図であり、（ａ）回転状態を示す図であり、（ｂ）拡大図である。
【図４】この発明の実施の形態１に係る収納装置の回転角度規定機構の構成を示す底面図であり、（ａ）回転前を示す図であり、（ｂ）回転後を示す図である。
【図５】この発明の実施の形態１に係る収納装置の構成（電子機器が載置された状態）を示す底面から見たスライド状態を示す斜視図である。
【図６】この発明の実施の形態１に係る収納装置の切欠き部を示す底面図である。
【発明を実施するための形態】
【００１１】
以下、この発明の実施の形態について図面を参照しながら詳細に説明する。
実施の形態１．
図１はこの発明の実施の形態１に係る収納装置１の構成（電子機器５が載置された状態）を示す斜視図である。
収納装置１は、図１に示すように、電子機器（例えばＵＰＳ等）５を収納するものである。この収納装置１には、ベース１１上に設けられ、当該ベース１１から一方向にスライドして引き出し可能なスライドテーブル１２が設けられている。また、スライドテーブル１２上に設けられ、主面の軸心周りに回転可能であり、電子機器５が載置される回転テーブル１３が設けられている。なお、回転テーブル１３及びスライドテーブル１２は回転スライドテーブルを構成する。
【００１２】
この収納装置１は、図１（ａ）に示すスライドテーブル１２がベース１１上に位置する状態（収納状態）から、スライドテーブル１２が一方向にスライドされて手前に引き出されることで図１（ｂ）に示すスライド状態へと移行する。そして、図１（ｂ）に示すスライド状態から回転テーブル１３が規定方向に回転されることで図１（ｃ）に示す回転状態へと移行する。そして、この回転状態において、回転テーブル１３上に載置された電子機器５に対するバッテリ交換等を行う。その後、収納装置１を収納状態に戻す場合には、上記と逆の手順を行う。
【００１３】
この収納装置１には、スライドテーブル１２がスライド状態に至るまで回転テーブル１３の回転を規制する回転規制機構１４が設けられている。この回転規制機構１４は、図２に示すように、規制壁１４１及びストッパ１４２から構成されている。この規制壁１４１は、ベース１１に設けられている。また、ストッパ１４２は、回転テーブル１３に設けられている。ここで、回転テーブル１３が図２（ｂ）の矢印方向に回転する場合には、規制壁１４１はベース１１上の長手方向奥側に設けられ、ストッパ１４２は回転テーブル１３上の短手方向奥側に設けられる。このストッパ１４２は、スライドテーブル１２がスライド状態に至るまで規制壁１４１と当接し、スライド状態では規制壁１４１から離れるような位置に配置されている。なお図の例では、ストッパ１４２は板部材により構成されており、このストッパ１４２及び規制壁１４１は回転テーブル１３上に載置された電子機器５を囲う収納壁としても機能している。
【００１４】
そして、この回転規制機構１４により、スライドテーブル１２がスライド状態に至るまでは規制壁１４１とストッパ１４２とが当接しているため回転テーブル１３は回転できず、スライド状態では規制壁１４１とストッパ１４２との当接が解除されるため回転テーブル１３を回転できる。よって、この回転規制機構１４により、スライドテーブル１２を収納装置１から引き出す前に回転テーブル１３が回転してしまうことを回避できる。なお図では、ストッパ１４２が板部材により構成された場合を示したが、これに限るものではなく、例えば棒状に構成してもよい。
【００１５】
また、収納装置１には、回転テーブル１３が回転している際にスライドテーブル１２がスライドすることを規制するスライド規制機構１５が設けられている。このスライド規制機構１５は、図３に示すように、ラッチ１５１及び角穴１５２から構成されている。ラッチ１５１は、ベース１１に設けられ、スライドテーブル１２側に付勢されて突没可能な部材である。また、角穴１５２は、スライドテーブル１２に設けられ、スライドテーブル１２がスライド状態において突出したラッチ１５１の爪部１５３が挿通する穴である。そして、ラッチ１５１は、回転テーブル１３が回転している状態では爪部１５３がスライドテーブル１２より突出して角穴１５２に挿通し、回転テーブル１３が回転していない状態（スライド状態）では回転テーブル１３が爪部１５３上に乗ることでラッチ１５１がスライドテーブル１２から没入し、角穴１５２から離れるように構成されている。
【００１６】
そして、このスライド規制機構１５により、スライドテーブル１２が引き出された後、回転テーブル１３が回転している状態ではラッチ１５１の爪部１５３がスライドテーブル１２より突出して角穴１５２に挿通するためスライドテーブル１２はスライドできず、スライド状態では回転テーブル１３が爪部１５３上に乗ることによりラッチ１５１の角穴１５２への挿通が解除されるためスライドテーブル１２をスライドできる。よって、このスライド規制機構１５により、回転テーブル１３が回転している際にスライドテーブル１２がスライドしてしまうことを回避できる。
【００１７】
また、収納装置１には、回転テーブル１３が回転する角度範囲を規定する回転角度規定機構１６が設けられている。この回転角度規定機構１６は、図４に示すように、第２のストッパ１６１、当接部１６２及び第２の当接部１６３から構成されている。なお図４では、第２のストッパ１６１を見やすくするため、スライドテーブル１２を部分的に切欠いた状態を示している。第２のストッパ１６１は、回転テーブル１３に設けられている。また、当接部１６２及び第２の当接部１６３は、スライドテーブル１２に設けられている（図の例では、スライドテーブル１２の側壁の一部が当接部１６２及び第２の当接部１６３として機能している）。この当接部１６２及び第２の当接部１６３は、回転テーブル１３が９０度以上回転しないように第２のストッパ１６１と当接する位置に配置されている。
【００１８】
そして、この回転角度規定機構１６により、図４（ａ）に示すように、収納装置１がスライド状態では、回転テーブル１３が矢印とは反対方向に回転しないように第２のストッパ１６１と当接部１６２が当接している。また、図４（ｂ）に示すように、収納装置１が回転状態では、回転テーブル１３が矢印とは反対方向に回転しないように第２のストッパ１６１と第２の当接部１６３が当接している。よって、この回転角度規定機構１６により、回転テーブル１３が必要以上に回転してしまうことを回避できる。
【００１９】
なお上記では、回転テーブル１３が回転する角度範囲を９０度とした場合について示したが、これに限るものではなく、適宜、必要な角度範囲に規定することが可能である。
【００２０】
また、収納装置１のスライドテーブル１２及び回転テーブル１３には、図５，６に示すように、長手方向（スライドテーブル１２のスライド方向に垂直な方向）両端に切欠き部１７が設けられている（図６に示すハッチング部分が切欠かれている）。この切欠き部１７は、スライドテーブル１２及び回転テーブル１３のそれぞれの主面を当該回転テーブル１３上に載置される電子機器５の底面より狭くするためのものである。この切欠き部１７を設けることで、回転テーブル１３上に取っ手のない重量物を載置した場合であっても、切欠き部１７から重量物に手をかけることができ、当該重量物を持つ部分を確保することができる。
また、スライドテーブル１２及び回転テーブル１３に切欠き部１７を設けることによって、スライドテーブル１２及び回転テーブル１３が重量物用であっても、軽量化を図ることができる。
【００２１】
以上のように、この実施の形態１によれば、スライドテーブル１２がスライド状態に至るまで回転テーブル１３の回転を規制する回転規制機構１４と、回転テーブル１３が回転している際にスライドテーブル１２がスライドすることを規制するスライド規制機構１５と、回転テーブル１３が回転する角度範囲を規定する回転角度規定機構１６とを備えるように構成したので、規定された動作手順以外の動作を規制し、必要な分だけテーブルをスライド及び回転可能となる。
【００２２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２３】
１  収納装置
５  電子機器
１１  ベース
１２  スライドテーブル
１３  回転テーブル
１４  回転規制機構
１５  スライド規制機構
１６  回転角度規定機構
１７  切欠き部
１４１  規制壁
１４２  ストッパ
１５１  ラッチ
１５２  角穴
１５３  爪部
１６１  第２のストッパ
１６２  当接部
１６３  第２の当接部
【図１】
0006308883.tif 000002
【図２】
0006308883.tif 000003
【図３】
0006308883.tif 000004
【図４】
0006308883.tif 000005
【図５】
0006308883.tif 000006
【図６】
0006308883.tif 000007